(57)【要約】【課題】人体手指で直接的に把持されて被対象物に付着の塵埃の拭き取り作業に供される清拭用具に関して、清拭機能を簡単確実に復活させることができ、しかも廃棄部分を最小限化して、省資源化を図ることができるようにする。【解決手段】本発明に係る清拭用具は、クッション材２と、該クッション材２を覆うように被せ付けられる扁平な拭布袋体３とからなる。拭布袋体３は、極細繊維を含む表面側層４ａと、熱融着繊維を含む裏面側層４ｂとで構成される不織布シートを袋基材４とする。拭布袋体３には、クッション材２に対して拭布袋体３を被せ付けるための装着口１５が開設されており、該装着口１５からクッション材２の外面に拭布袋体３を被せ付け、あるいはクッション材２から拭布袋体３を取り外すことで、清拭機能を発揮する拭布袋体３がクッション材２に対して交換可能に構成されている。【選択図】図１
2009183322.tif 000002
【特許請求の範囲】
【請求項１】
クッション材（２）と、該クッション材（２）を覆うように被せ付けられる扁平な拭布袋体（３）とからなり、人体手指でクッション材（２）ごと拭布袋体（３）を把持して、該拭布袋体（３）の表面で被対象物を拭くことで、該被対象物に付着の塵埃を拭き取ることができる清拭用具であって、
拭布袋体（３）は、極細繊維を含む表面側層（４ａ）と、熱融着繊維を含む裏面側層（４ｂ）とで構成される不織布シートを袋基材（４）とするものであり、
拭布袋体（３）には、クッション材（２）に対して拭布袋体（３）を被せ付けるための装着口（１５）が開設されており、該装着口（１５）からクッション材（２）の外面に拭布袋体（３）を被せ付け、あるいはクッション材（２）から拭布袋体（３）を取り外すことで、清拭機能を発揮する拭布袋体（３）がクッション材（２）に対して交換可能に構成されていることを特徴とする清拭用具。
【請求項２】
袋基材（４）が、クッション材（２）の下面側を受ける下面部（１０）と、下面部（１０）の前方に連なってクッション材（２）の上面前方部分を覆う前方上面部（１１）と、下面部（１０）の後方に連なってクッション材（２）の上面後方部分を覆う後方上面部（１２）とを有し、前方上面部（１１）と後方上面部（１２）との左右端部が、下面部（１０）の左右端部に熱融着されて、扁平な四角袋状に形成されており、
前方上面部（１１）と後方上面部（１２）との間が、扁平な四角ブロック状のクッション材（２）に対する装着口（１５）になっており、
下面部（１０）の表面が被対象物に対する主拭き取り面とされている請求項１記載の清拭用具。
【請求項３】
拭布袋体（３）は、袋基材（４）を長方扁平の四角袋状に成形してなるものであり、
少なくとも下面部（１０）の表面に、拭布袋体（３）の長さ方向に走る凹筋（１６）と凸筋（１７）とで構成される凹凸構造（１８）が形成されている請求項２記載の清拭用具。
【請求項４】
クッション材（２）の外表面に、拭布袋体（３）の長さ方向に走る凹筋（２０）と凸筋（２１）とで構成される凹凸構造（２２）が形成されている請求項３記載の清拭用具。
【請求項５】
前方上面部（１１）および後方上面部（１２）と下面部（１０）との熱シール箇所（７）が、拭布袋体（３）の左右端縁に沿って間欠的に設けられている請求項２ないし４のいずれかに記載の清拭用具。
【請求項６】
前方上面部（１１）および後方上面部（１２）と下面部（１０）との熱シール箇所（７）が、拭布袋体（３）の左右端縁との間に一定幅を置いて設けられている請求項２ないし５のいずれかに記載の清拭用具。
【請求項７】
クッション材（２）に対して複数の拭布袋体（３）が層状に被せ付けられている請求項２ないし６のいずれかに記載の清拭用具。
【請求項８】
クッション材（２）が、弾力の異なる二種のクッション層（２ａ・２ｂ）を重ね合わせてなるものである請求項２ないし７のいずれかに記載の清拭用具。
【発明の詳細な説明】
【技術分野】
【０００１】
本発明は、人体手指で直接的に把持されて被対象物に付着の塵埃の拭き取り作業に供される清拭用具に関する。本発明に係る清拭用具は、例えばテレビの表示画面やパーソナルコンピュータのディスプレイ、あるいはコピー機の画像読み取り面等の各種被対象物に付着の塵埃を拭き取るための清拭用具として好適である。
【背景技術】
【０００２】
この種の清拭用具の従来例としては、例えば特許文献１や特許文献２などを挙げることができる。特許文献１に係る清拭用具では、２枚の拭布間にクッション材を挟んだ状態で拭布およびクッション材を積重し、これら積重した拭布およびクッション材の周縁部を縫合して手挿入口を有する袋状に形成している。特許文献２の清拭用具では、不織布製の拭布を袋状にし、この袋の内部に四角ブロック状のクッション材が封じ込められている。このように、クッション材を内部に備える構造の清拭用具によれば、拭布が薄手のものであってもクッション材の存在により手が適度の弾力性を感じつつ確実に被対象物を払拭することができ、したがって、薄手の拭布を用いて安価に製造することができる利点がある。
【０００３】
【特許文献１】特開２０００−１１６５８３号公報
【特許文献２】特開平１０−２９５６０９号公報
【発明の開示】
【発明が解決しようとする課題】
【０００４】
これら特許文献の問題は、拭布が汚れると、清拭用具の全体を洗濯しなければ清拭機能が復活しないことにある。このため、拭き取り作業の対象物が多数個あり、清拭を必要とする面積や部分が広い場合には、多数個の清拭用具を用意する必要があり、コスト的に不利がある。また、洗濯処理を行った場合でも拭布に取り込まれた髪の毛等の塵埃を完全に取り除くのは不可能であり、清拭機能を完全に復活させることはできない。清拭機能が低下するたびに清拭用具の全体を交換することは、コストおよび資源の無駄でもある。
【０００５】
本発明は、以上のような従来の清拭用具が有する問題を解決するためになされたものであり、その目的は、良好な清拭機能を簡単確実に復活させることができ、しかも廃棄部分を最小限化して、省資源化を図ることができる清拭用具を提供することにある。
【課題を解決するための手段】
【０００６】
本発明は、図１および図２に示すごとく、クッション材２と、該クッション材２を覆うように被せ付けられる扁平な拭布袋体３とからなり、人体手指でクッション材２ごと拭布袋体３を把持して、該拭布袋体３の表面で被対象物を拭くことで、該被対象物に付着の塵埃を拭き取ることができる清拭用具を対象とする。拭布袋体３は、極細繊維を含む表面側層４ａと、熱融着繊維を含む裏面側層４ｂとで構成される不織布シートを袋基材４とするものであり、拭布袋体３には、クッション材２に対して拭布袋体３を被せ付けるための装着口１５が開設されており、図３に示すごとく該装着口１５からクッション材２の外面に拭布袋体３を被せ付け、あるいはクッション材２から拭布袋体３を取り外すことで、清拭機能を発揮する拭布袋体３がクッション材２に対して交換可能に構成されていることを特徴とする。
【０００７】
本発明における表面側層４ａを構成する極細繊維の具体例としては、アクリル系繊維、ポリエステル系繊維、ナイロン系繊維、ポリプロピレン繊維、ポリエチレン繊維、セルロース繊維等を挙げることができる。繊度としては、０．０１〜０．１デシテックスの範囲にあることが好ましい。これら繊維を混合又は異種繊維と混合させてもよい。極細繊維には、多角断面繊維を用いることが好ましい。すなわち、１本の繊維を径中心から放射状に分割してなる繊維や、１本の繊維を上下方向に層状に分割してなる繊維を採用することが好ましい。このような多角断面繊維で袋基材４の表面側層４ａを形成してあると、多角断面に由来するカキ取り効果により、被対象物に付着の脂分や塵埃などを効果的に拭き取ることができる。
【０００８】
裏面側層４ｂを構成する熱融着繊維の具体例としては、ポリ乳酸繊維を主成分とする不織布シートや、メタロセン触媒を使用して製造した直鎖低密度ポリエチレン製の合成樹脂フィルムなどを挙げることができる。
【０００９】
図２に示すごとく袋基材４が、クッション材２の下面側を受ける下面部１０と、下面部１０の前方に連なってクッション材２の上面前方部分を覆う前方上面部１１と、下面部１０の後方に連なってクッション材２の上面後方部分を覆う後方上面部１２とを有し、前方上面部１１と後方上面部１２との左右端部が、下面部１０の左右端部に熱融着されて、扁平な四角袋状に形成されており、前方上面部１１と後方上面部１２との間が、扁平な四角ブロック状のクッション材２に対する装着口１５になっており、下面部１０の表面が被対象物に対する主拭き取り面とされている形態を採ることができる。
【００１０】
図２に示すごとく拭布袋体３は、袋基材４を長方扁平の四角袋状に成形してなるものであり、少なくとも下面部１０の表面に、拭布袋体３の長さ方向に走る凹筋１６と凸筋１７とで構成される凹凸構造１８が形成されている形態を採ることができる。
【００１１】
図５に示すごとく、クッション材２の外表面に、拭布袋体３の長さ方向に走る凹筋２０と凸筋２１とで構成される凹凸構造２２が形成されていることが好ましい。
【００１２】
図６に示すごとく、前方上面部１１および後方上面部１２と下面部１０との熱シール箇所７が、拭布袋体３の左右端縁に沿って間欠的に設けられている形態を採ることができる。
【００１３】
図６に示すごとく、前方上面部１１および後方上面部１２と下面部１０との熱シール箇所７が、拭布袋体３の左右端縁との間に一定幅を置いて設けられている形態を採ることができる。
【００１４】
図７に示すごとく、クッション材２に対して複数の拭布袋体３が層状に被せ付けられている形態を採ることができる。
【００１５】
クッション材２は、弾力の異なる二種のクッション層２ａ・２ｂを重ね合わせてなるものであることが好ましい。
【発明の効果】
【００１６】
本発明では、極細繊維を含む表面側層４ａを有する袋基材４で拭布袋体３を構成したので、極細繊維に由来する塵埃のこそぎ落とし機能および塵埃の捕捉機能により、当該拭布袋体３の表面側層４ａで被対象物を擦ることで、被対象物に付着の塵埃を確実に拭き取り除去することができる。また、この清拭用具１によれば、拭布袋体３がクッション材２に被せ付けられた状態、換言すればクッション材２が拭布袋体３の内部に収容された状態で拭き取りを行うことができるため、袋基材４が薄手のものであってもクッション材２の存在により手が適度の弾力性を感じつつ確実に被対象物を清拭することができる。したがって、薄手の袋基材４を採用することができ、清拭用具１を安価に製造することができる。
クッション材２をベースとして拭き取り動作を行うことができるため、袋基材４のようなシート体の単体で拭き取り動作を行う場合に比べて、クッション材２の面積分だけ、より広い範囲を被対象物に確実に押し付けて拭き取り動作を行うことができ、より効率的に清拭作業を行うことができる。クッション材２を屈曲させて、当該屈曲部分に係る拭布袋体３の表面側層４ａを被対象部分に強く押し付けて擦るように清拭作業を行うこともでき、被対象物の表面にこびり付いた塵埃等に対しても、これをこそぎ落として除去することもできる。
【００１７】
何よりも拭布袋体３に、クッション材２に対して拭布袋体３を被せ付けるための装着口１５が開設されており、該装着口１５からクッション材２の外面に拭布袋体３が被せ付け、あるいはクッション材２から拭布袋体３を取り外すことで拭布袋体３がクッション材２に対して交換可能に構成されていると、当該拭布袋体３を交換するだけで、新たな清拭機能を清拭用具に与えて、当該機能を復活させることができる。したがって、多くの塵埃を取り込んで拭布袋体３の清拭機能が低下した場合にも、これを交換するだけで、新たな清拭機能を与えることができ、廃棄される部位が拭布袋体３のみとなるため、清拭用具１の全体が廃棄される従来形態に比べて、コスト負担の低減化および省資源化を図ることができる。清拭用具１の洗濯等の手間が不要となる利点もある。安価な拭布袋体３を購入し、これを交換するだけで、清拭機能を復活させることができるため、清拭用具１の全体を購入する場合に比べて、利用者のコスト負担が安価に済む点でも優れている。
【００１８】
熱融着繊維を含む裏面側層４ｂを有する不織布シートを袋基材４としていると、必要箇所に熱溶着処理を施すだけで、拭布袋体３を作成することができる。したがって、縫製等により拭布袋体３を作成する場合に比べて、格段に作業効率良く、しかも低コストに拭布袋体３を作成することができる。
【００１９】
下面部１０の前方に連なってクッション材２の上面前方部分を覆う前方上面部１１と、下面部１０の後方に連なってクッション材２の上面後方部分を覆う後方上面部１２との間がクッション材２に対する装着口１５とされていると、両上面部１１・１２を前後に押し広げることにより、装着口１５を開放状態にして、クッション材２の外表面に容易に拭布袋体３を被せ付けることができる。清拭用具１を使って拭き取り動作を行うときには、装着口１５が確りと閉じられて、クッション材２が不用意に食み出すこともない。拭布袋体３が扁平な四角袋状に形成されており、クッション材２が扁平な四角ブロック状に形成されていると、クッション材２で裏打ち状に支持される拭布袋体３のコーナー部を使って、被対象物に対する拭き取り動作を行うことができる。特にテレビ画面やパソコンのディスプレイ画面などを清拭対象とする場合には、当該画面の四隅に溜まった埃等を拭布袋体３のコーナー部を使って、容易に拭き取ることができる。パソコンのキーボードの隙間に溜まった埃等も、当該コーナー部を使えば容易に拭き取ることができる。
【００２０】
拭布袋体３が、袋基材４を長方扁平の四角袋状に成形してなるものであり、少なくとも下面部の表面に、拭布袋体３の長さ方向に走る凹筋１６と凸筋１７とで構成される凹凸構造１８が形成されていると、拭布袋体３の短辺方向を拭き取り方向として、被対象物上で清拭用具１を動かして清拭作業を行ったとき、当該凹凸構造１８により、被対象物上の塵埃をこそぎ落として、軽い力で以て簡単確実に塵埃を除去することができる。つまり、清拭用具１を使った清拭作業の効率性の向上を図ることができる点で優れている。
同様にクッション材２の表面に拭布袋体３の長さ方向に走る凹筋２０と凸筋２１とで構成される凹凸構造２２が形成されていると、当該凹凸構造２２により、被対象物上の塵埃をこそぎ落として、軽い力で以て簡単確実に塵埃を除去することができる。
【００２１】
熱シール処理を施すと、表面側層４ａに含まれる極細繊維が溶融することから、極細繊維に由来する清拭機能が低下する。したがって、帯状の熱シール箇所７を設けると、該熱シール箇所７の長さ方向に清拭用具１を動かした場合に、被対象物上に筋状の拭き取り残しの生じるおそれがある。これに対し本実施形態のように、熱シール箇所７を間欠的に設けると、前方上面部１１および後方上面部１２と下面部１０とを確りと接着できながら、清拭機能の低下を最小限に抑えることができる。
また、熱シール処理を施した箇所では、表面の繊維が溶融して硬化するため、清拭作業の際に熱シール箇所７で被対象物を擦ると、該被対象物の表面を傷付けるおそれがある。本発明のように、熱シール箇所７が間欠的に設けてあると、これを帯状とする場合に比べて、熱シール箇所７が被対象物に接する機会を少なくできるので、被対象物が傷付くおそれを低減化できる。
【００２２】
熱シール箇所７が拭布袋体３の左右端縁との間に一定幅を置いて設けられていると、拭布袋体３の左右端部には、熱シール処理に起因する清拭機能の低下が生じず、拭布袋体３の左右端部に拭布袋体３の中央部と同程度の清拭機能を付与できる。かかる拭布袋体３の左右端部は、狭い場所、例えば、テレビ画面等の四隅やパソコンのキーボードの隙間に溜まった埃等を拭き取るのに好適である。
【００２３】
クッション材２に対して複数の拭布袋体３が層状に被せ付けられていると、最外層の拭布袋体３の清拭機能が低下した場合には、この拭布袋体３のみを取り外すことにより、新たに露出する未使用の拭布袋体３を、塵埃の拭き取りの用に供することができるようになる。つまり、クッション材２に対して拭布袋体３を１枚しか装着できない場合は、拭布袋体３の清拭機能が低下する毎に、これを取り外して新規の拭布袋体３を被せ付けなければならないが、本発明では、最外層の拭布袋体３を取り外すだけで清拭機能を復活させることができる。また、新たに拭布袋体３を装着する必要はないことから、先の場合と比べて拭布袋体３の交換作業回数を削減でき、清拭用具１の使い勝手が向上する。未使用の拭布袋体３を紛失するおそれを排除できる点でも優れている。
【００２４】
クッション材２が、弾力の異なる二種のクッション層２ａ・２ｂを重ね合わせてなるものであると、例えば、追従性が要求される被対象物の部分（例えば、テレビ画面の隅部等）に対しては、弾力の大きなクッション層２ａで裏打ち状に支持された拭布袋体３の表面側層４ａで以て、拭き取り作業を行って、清拭処理を行うことができる。
テレビ画面の盤面中央のような広い部分に対して清拭処理を行う場合には、弾力の小さなクッション層２ｂで裏打ち状に支持された拭布袋体３の表面側層４ａで持って拭き取り動作を行えば、被対象物に対向する側のクッション層２ｂの変形を最小限化して、クッション層２ｂの全面が拭布袋体３を介して被対象物に均一に接する状態で拭き取り動作を行うことができる。つまり、弾力の小さなクッション層２ｂの側を被対象物に向けて拭き取り動作を行えば、被対象物に接する拭布袋体３の面に略均一な力を加えることができるので、広い部分に対して効率的に拭き取り動作を行うことができる。
【発明を実施するための最良の形態】
【００２５】
（第１実施形態）  図１ないし図３に本発明に係る清拭用具の第１実施形態を示す。図１ないし図３において、清拭用具１は、クッション材２と、該クッション材２を覆うように被せ付けられる扁平な拭布袋体３とからなるものであり、人体手指でクッション材２ごと拭布袋体３を把持して、拭布袋体３の表面で被対象物を拭くことで、該被対象物に付着の塵埃を拭き取ることができる。
【００２６】
図２に示すごとく、クッション材２は、第１のクッション層２ａと、該第１のクッション層２ａよりも弾力の大きな第２のクッション層２ｂの二種のクッション層を貼り合わせてなるものであり、全体として、扁平な四角ブロック形状を呈している。各クッション層２ａ・２ｂは、発泡ポリウレタン、ナイロンなど素材とする。
【００２７】
図２に示すごとく、拭布袋体３は、極細繊維を含む表面側層４ａと、熱融着繊維を含む裏面側層４ｂとで構成される不織布シートを袋基材４とする。かかる極細繊維および熱融着繊維の具体例は、上述したごとくであり、本実施形態では、極細繊維を含む不織布（表面側層４ａ）にプラスチックフィルム（裏面側層４ｂ）を貼り合わせて、袋基材４を形成した。
【００２８】
かかる袋基材４は、図４に示すごとく、折り工程、熱シール工程、およびカット工程を経て、拭布袋体３とされる。具体的には、折り工程においては、まずロール状に巻かれた長尺形態の袋基材４から、その幅方向の両端部が上方側に折り返される。ここでは、袋基材４のプラスチックフィルム（裏面側層４ｂ）が上方側に向く姿勢状態から折り返し加工が行われ、折り返された両遊端部５ａ・５ｂが、幅方向の中央部において重なるようにする。折り返し後においては、表面側には、極細繊維を含む不織布（表面側層４ａ）が位置することとなる。次いで、所定箇所に対して、幅方向に走るように熱シール加工が施される。図４において、符号７は熱シール箇所を示す。かかる熱シール加工により、折り返し部分と下方の平坦部分とに係る、互いに対向するプラスチックフィルム（裏面側層４ｂ）どうしが熱融着される。また、折り返し部分の重なり部分においては、上方側のプラスチックフィルム（裏面側層４ｂ）が表面側層４ａに熱融着される。最後に、隣接する熱シール箇所７・７の間でカットすることで、図１ないし図３に示すような拭布袋体３を得ることができる。
【００２９】
カット工程後の拭布袋体３の構成を図１および図２を使って説明すると、以下の如くとなる。すなわち、拭布袋体３は、クッション材２の下面側を受ける下面部１０と、下面部１０の前方に連なってクッション材２の上面前方部分を覆う前方上面部１１と、下面部の後方に連なってクッション材２の上面後方部分を覆う後方上面部１２とを有し、前方上面部１１と後方上面部１２との左右端部が、下面部１０の左右端部に熱融着されて、扁平な四角形状を呈している。ここでは、左右寸法が前後寸法よりも大きな、平面視で長方四角形状に拭布袋体３を形成した。図４と同様に、図１において符号７はシール加工が施された部分、すなわち熱シール箇所を示す。図２および図３に示すように、前方上面部１１と後方上面部１２との間が、クッション材２に対する装着口１５となっている。
袋基材４の極細繊維を含む表面側層４ａには、凹筋１６と凸筋１７とで構成される凹凸構造１８が形成されており、本実施形態においては、当該凹筋１６と凸筋１７とが拭布袋体３の長さ方向（左右方向）に走るように、拭布袋体３を形成した。
【００３０】
この拭布袋体３は、装着口１５を押し広げて、拭布袋体３の内部空隙にクッション材２を収容することで、該クッション材２の外表面に拭布袋体３を被せ付けることができる。また、拭布袋体３の内部空隙からクッション材２を取り出すことで、拭布袋体３をクッション材２から取り外して、両者２・３を分離することができる。つまり、該装着口１５からクッション材２の外面に拭布袋体３を被せ付け、あるいはクッション材２から拭布袋体３を取り外すことで、拭布袋体３をクッション材２に対して適宜に交換することが可能となっている。
【００３１】
以上のような構成からなる清拭用具１によれば、極細繊維を含む表面側層４ａを有する袋基材４で拭布袋体３を構成したので、極細繊維に由来する塵埃のこそぎ落とし機能および塵埃の捕捉機能により、当該拭布袋体３の表面側層４ａで被対象物を擦ることで、被対象物に付着の塵埃を確実に拭き取り除去することができる。また、この清拭用具１によれば、拭布袋体３がクッション材２に被せ付けられた状態、換言すればクッション材２が拭布袋体３の内部に収容された状態で清拭作業を行うことができるため、袋基材４が薄手のものであってもクッション材２に存在により手が適度の弾力性を感じつつ確実に被対象物を清拭することができる。したがって、薄手の袋基材４を採用することができ、清拭用具１を安価に製造することができる。
【００３２】
クッション材２をベースとして拭き取り動作を行うことができるため、袋基材４の単体で拭き取り動作を行う場合に比べて、クッション材２の面積分だけ、より広い範囲を確実に被対象物に押し付けて拭き取り動作を行うことができ、より効率的に清拭作業を行うことができる。クッション材２を屈曲させて、当該屈曲部分に係る拭布袋体４の表面側層４ａを被対象部分に強く押し付けて擦るように清拭作業を行うこともでき、被対象物の表面にこびり付いた塵埃等に対しても、当該塵埃をこそぎ落として除去することもできる。
【００３３】
拭布袋体３がクッション材２に対して交換可能に構成されていると、当該拭布袋体３を交換するだけで、新たな清拭機能を清拭用具１に与えて、当該機能を復活させることができる。したがって、多くの塵埃を取り込んで拭布袋体３の清拭機能が低下した場合にも、これを交換するだけで、新たな清拭機能を与えることができ、廃棄される部位が拭布袋体３のみとなるため、清拭用具１の全体が廃棄される従来形態に比べて、コスト負担の低減化および省資源化を図ることができる。清拭用具１の洗濯等の手間が不要となる利点もある。安価な拭布袋体３を購入し、これを交換するだけで、清拭機能を復活させることができるため、清拭用具１の全体を購入する場合に比べて、利用者のコスト負担が安価に済む点でも優れている。なお、この清拭用具１は、一個のクッション材２と、数枚（３〜５枚程度）の拭布袋体３とをセットとして販売され、また、数枚の交換用の拭布袋体３が別売される。したがって、使用者は、一旦、清拭用具１を購入した後は、安価な交換用の拭布袋体３を購入し、拭布袋体３を交換すれば、清拭用具１を使い続けることができる。
【００３４】
熱融着繊維を含む裏面側層４ｂを有する不織布シートを袋基材４としていると、図４に示すように、必要箇所に対する熱溶着処理を施すだけで、拭布袋体３を作成することができる。したがって、縫製等により拭布袋体３を作成する場合に比べて、格段に作業効率良く、しかも低コストに拭布袋体３を作成することができる。
【００３５】
下面部１０の前方に連なってクッション材２の上面前方部分を覆う前方上面部１１と、下面部１０の後方に連なってクッション材２の上面後方部分を覆う後方上面部１２との間がクッション材２に対する装着口１５とされていると、両上面部１１・１２を前後に押し広げることにより、装着口１５を開放状態にして、クッション材２の外表面に拭布袋体３を容易に被せ付けることができる。清拭用具１を使って拭き取り動作を行うときには、装着口１５が確りと閉じられて、クッション材２が不用意に食み出すこともない。拭布袋体３が扁平な四角袋状に形成されており、クッション材２が扁平な四角ブロック状に形成されていると、クッション材２で裏打ち状に支持される拭布袋体３のコーナー部を使って、被対象物に対する拭き取り動作を行うことができる。特にテレビ画面やパソコンのディスプレイ画面などを清拭対象とする場合には、当該画面の四隅に溜まった埃等を拭布袋体３のコーナー部を使って、容易に拭き取ることができる。パソコンのキーボードの隙間に溜まった埃等も、当該コーナー部を使えば容易に拭き取ることができる。
【００３６】
下面部１０の表面に、凹筋１６と凸筋１７とで構成される凹凸構造１８が形成されていると、例えば、拭布袋体３の短辺方向を拭き取り方向として、被対象物上で清拭用具１を動かして清拭作業を行ったとき、当該凹凸構造１８により、被対象物上の塵埃をこそぎ落として、軽い力で以て簡単確実に塵埃を除去することができる。つまり、清拭用具１を使った清拭作業の効率性の向上を図ることができる点で優れている。
【００３７】
図２に示すように、クッション材２が、弾力の異なる二種のクッション層２ａ・２ｂを重ね合わせてなるものであると、例えば、追従性が要求される被対象物の部分（例えば、テレビ画面の隅部等）に対しては、弾力の大きなクッション層２ａで裏打ち状に支持された拭布袋体３の表面側層４ａで以て、拭き取り作業を行って、清拭処理を行うことができる。
テレビ画面の盤面中央のような広い部分に対して清拭処理を行う場合には、弾力の小さなクッション層２ｂで裏打ち状に支持された拭布袋体３の表面側層４ａで持って拭き取り動作を行えば、被対象物に対向する側のクッション層２ｂの変形を最小限化して、クッション材２の全面が拭布袋体３を介して被対象物に均一に接する状態で拭き取り動作を行うことができる。つまり、弾力の小さなクッション層２ｂの側を被対象物に向けて拭き取り動作を行えば、被対象物に接する拭布袋体３の表面側層４ａに略均一な力を加えることができるので、広い部分に対して効率的に拭き取り動作を行うことができる。
【００３８】
（第２実施形態）  図５に、本発明の第２実施形態に係る清拭用具を示す。そこでは、クッション材２の表裏面に、多数本の凹筋２０と凸筋２１とで構成される凹凸構造２２が形成されている点が、先の第１実施形態と相違する。これら凹筋２０と凸筋２１とは、クッション材２の長辺方向に走るように形成されている。それ以外の点は、第１実施形態と同様であるので、同一部材には同一符号を付して、その説明を省略する。
これによれば、当該凹凸構造２２により、被対象物上の塵埃をこそぎ落として、軽い力で以て簡単確実に塵埃を除去することができる。さらに、拭き取り時には凹筋２０内に拭布袋体３が侵入することにより、被対象物と拭布袋体３の表面層側４ａとの間に空隙ができる。この空隙に塵埃を保持することができるので、拭き取った粉塵が被対象物に再付着する不具合もない。
【００３９】
（第３実施形態）  図６に、本発明の第３実施形態に係る清拭用具を示す。そこでは、前方上面部１１および後方上面部１２と下面部１０との熱シール箇所７が、拭布袋体３の左右端縁に沿って間欠的に設けられている点が、先の第１実施形態と相違する。一列に並ぶ熱シール箇所７の整列方向の総長さ寸法は、拭布袋体３の左端縁あるいは右端縁の長さ寸法の５０％未満に設定されている。それ以外の点は、第１実施形態と同様であるので、同一部材には同一符号を付して、その説明を省略する。
【００４０】
熱シール処理を施すと、表面側層４ａに含まれる極細繊維が溶融することから、極細繊維に由来する清拭機能が低下する。したがって、先の第１実施形態のように帯状の熱シール箇所７を設けると、該熱シール箇所７の長さ方向に清拭用具１を動かした場合に、被対象物上に筋状の拭き取り残しの生じるおそれがある。これに対し本実施形態のように、熱シール箇所７を間欠的に設けると、前方上面部１１および後方上面部１２と下面部１０とを確りと接着できながら、清拭機能の低下を最小限に抑えることができる。
また、熱シール処理を施した箇所では、表面の繊維が溶融して硬化するため、清拭作業の際に熱シール箇所７で被対象物を擦ると、該被対象物の表面を傷付けるおそれがある。本実施形態のように、熱シール箇所７が間欠的に設けてあると、これを帯状とする場合に比べて、熱シール箇所７が被対象物に接する機会を少なくできるので、被対象物が傷付くおそれを低減化できる。
【００４１】
また、本実施形態に係る熱シール箇所７は、拭布袋体３の左右端縁との間に一定幅を置いて設けられている。これにより、拭布袋体３の左右端部には、熱シール処理に起因する清拭機能の低下が生じず、拭布袋体３の左右端部に拭布袋体３の中央部と同程度の清拭機能を付与できる。かかる拭布袋体３の左右端部は、狭い場所、例えば、テレビ画面等の四隅やパソコンのキーボードの隙間に溜まった埃等を拭き取るのに好適である。
【００４２】
（第４実施形態）  図７に、本発明の第４実施形態に係る清拭用具を示す。そこでは、クッション材２に対して複数（図示では３枚）の拭布袋体３が層状に被せ付けられている。これによれば、最外層の拭布袋体３の清拭機能が低下した場合には、この拭布袋体３のみを取り外すことにより、新たに露出する未使用の拭布袋体３を、塵埃の拭き取りに供することができる。つまり、クッション材２に対して拭布袋体３を１枚しか装着できない場合は、拭布袋体３の清拭機能が低下する毎に、これを取り外して新規の拭布袋体３を被せ付けなければならないが、本実施形態では、最外層の拭布袋体３を取り外すだけで、清拭機能を復活させることができる。すなわち、清拭用具１の使い勝手が向上する。
【００４３】
本実施形態に係る清拭用具１によれば、新たに拭布袋体３を装着する必要はないことから、先の第１実施形態と比べて拭布袋体３の交換作業回数を削減でき、これによっても清拭用具１の使い勝手が向上する。更に、拭布袋体３を１枚しか装着しない場合のように、未使用の拭布袋体３を紛失するおそれもない。
【００４４】
図８（ａ）〜（ｄ）に、本発明に係る清拭用具１の拭布袋体３の変形例を示す。図８（ａ）・（ｂ）では、前方上面部１１により拭布袋体３の上面の全体が覆われており、装着口１５は、上面の左右一方の側縁の近傍に配されている。（ａ）では前方上面部１１の上面に後方上面部１２が重なり、（ｂ）では後方上面部１２の上面に前方上面部１１が重なっている。図８（ｃ）では、前方上面部１１を更に左右方向に伸ばして、拭布袋体３の左右一方の側面に、装着口１５が設けられている。図８（ｄ）では、左右一方の側面を開放して、これを装着口１５としている。
【００４５】
その他、本発明に係る清拭用具１は、ホワイトボード用イレイサーに適用することができる。
【図面の簡単な説明】
【００４６】
【図１】本発明の第１実施形態に係る清拭用具の平面図である。
【図２】図１のＡ−Ａ線断面図である。
【図３】本発明に係る清拭用具の斜視図である。
【図４】清拭用具の拭布袋体の作製方法を示す図である。
【図５】本発明の第２実施形態に係る清拭用具の縦断側面図である。
【図６】本発明の第３実施形態に係る清拭用具の平面図である。
【図７】本発明の第４実施形態に係る清拭用具の構成を模式的に示す図である。
【図８】（ａ）〜（ｄ）は、拭布袋体の変形例を示す、縦断側面図である。
【符号の説明】
【００４７】
１  清拭用具
２  クッション材
３  拭布袋体
４  袋基材
４ａ  表面側層
４ｂ  裏面側層
７  熱シール箇所
１５  装着口
１６  凹溝
１７  凸溝
１８  凹凸構造
２０  凹溝
２１  凸溝
２２  凹凸構造
【図１】
2009183322.tif 000003
【図２】
2009183322.tif 000004
【図３】
2009183322.tif 000005
【図４】
2009183322.tif 000006
【図５】
2009183322.tif 000007
【図６】
2009183322.tif 000008
【図７】
2009183322.tif 000009
【図８】
2009183322.tif 000010